(57)【要約】【課題】 磁気パターンの認識装置、認識方法、および、情報記録媒体を提供する。【解決手段】 本発明の磁気パターンの認識装置の記憶部は、複数の文字または記号と、そのそれぞれに対応付けられた複数の特徴点の位置の磁気の値と、を記憶し、測定部は、磁気インクにより印刷された磁気パターンの磁束を検出し、認識出力部は、検出された磁束と、記憶された複数の特徴点の位置の磁束の値と、を比較し、特定条件を満たす複数の特徴点の位置の磁束に対応付けられた文字または記号を、認識結果として出力する。 【選択図】図３
2010272126.tif 000002
【特許請求の範囲】
【請求項１】
磁気インクにより印刷された磁気パターンの磁束を測定し、当該磁束に対応する信号を出力する測定部と、
前記測定部が出力した信号を所定の増幅率で増幅する増幅部と、
前記増幅部が増幅した信号の強度が当該所定の増幅率にあらかじめ対応付けられた閾値よりも小さい区間を選択する選択部と、
前記選択部が選択したそれぞれの区間内に境界を設定し、当該境界に挟まれた区間の信号のそれぞれからＭＩＣＲ文字またはＭＩＣＲ記号を認識する認識部と、
を備えることを特徴とする磁気パターンの認識装置。
【請求項２】
当該閾値は、当該増幅率に比例するように対応付けられていることを特徴とする請求項１に記載の磁気パターンの認識装置。
【請求項３】
前記所定の増幅率は、第１の増幅率と、これより小さい第２の増幅率と、のいずれかであり、
これらのそれぞれに第１の閾値、および、第２の閾値が対応付けられていることを特徴とする請求項１に記載の磁気パターンの認識装置。
【請求項４】
前記増幅部が、当該第１の増幅率により増幅した信号の強度がダイナミックレンジに対し飽和した場合、前記増幅部は、当該第２の増幅率により信号を増幅することを特徴とする請求項３に記載の磁気パターンの認識装置。
【請求項５】
磁気インクにより印刷された磁気パターンの磁束を測定し、当該磁束に対応する信号を出力する測定工程と、
前記測定工程にて出力された信号を所定の増幅率で増幅する増幅工程と、
前記増幅工程にて増幅された信号の強度が当該所定の増幅率にあらかじめ対応付けられた閾値よりも小さい区間を選択する選択工程と、
前記選択工程にて選択されたたそれぞれの区間内に境界を設定し、当該境界に挟まれた区間の信号のそれぞれからＭＩＣＲ文字またはＭＩＣＲ記号を認識する認識工程と、
を備えることを特徴とする磁気パターンの認識方法。
【請求項６】
当該閾値は、当該増幅率に比例するように対応付けられていることを特徴とする請求項５に記載の磁気パターンの認識方法。
【請求項７】
前記所定の増幅率は、第１の増幅率と、これより小さい第２の増幅率と、のいずれかであり、
これらのそれぞれに第１の閾値、および、第２の閾値が対応付けられていることを特徴とする請求項５に記載の磁気パターンの認識方法。
【請求項８】
前記増幅工程にて当該第１の増幅率により増幅された信号の強度がダイナミックレンジに対し飽和した場合、前記増幅工程にて当該第２の増幅率により信号を増幅することを特徴とする請求項７に記載の磁気パターンの認識方法。
【請求項９】
磁気インクにより印刷された磁気パターンの磁束を測定し、当該磁束に対応する信号を出力する測定手順と、
前記測定手順にて出力された信号を所定の増幅率で増幅する増幅手順と、
前記増幅手順にて増幅された信号の強度が当該所定の増幅率にあらかじめ対応付けられた閾値よりも小さい区間を選択する選択手順と、
前記選択手順にて選択されたたそれぞれの区間内に境界を設定し、当該境界に挟まれた区間の信号のそれぞれからＭＩＣＲ文字またはＭＩＣＲ記号を認識する認識手順と、
を備える処理を実現するプログラムを記録したコンピュータ読取可能な情報記録媒体。
【請求項１０】
当該閾値は、当該増幅率に比例するように対応付けられていることを特徴とするプログラムを記録した請求項９に記載のコンピュータ読取可能な情報記録媒体。
【請求項１１】
前記所定の増幅率は、第１の増幅率と、これより小さい第２の増幅率と、のいずれかであり、
これらのそれぞれに第１の閾値、および、第２の閾値が対応付けられていることを特徴とするプログラムを記録した請求項９に記載のコンピュータ読取可能な情報記録媒体。
【請求項１２】
前記増幅手順にて当該第１の増幅率により増幅された信号の強度がダイナミックレンジに対し飽和した場合、
前記増幅手順にて当該第２の増幅率により信号を増幅することを特徴とするプログラムを記録した請求項１１に記載のコンピュータ読取可能な情報記録媒体。
【請求項１３】
前記情報記録媒体は、コンパクトディスク、フロッピー（登録商標）ディスク、ハードディスク、光磁気ディスク、ディジタルビデオディスク、磁気テープ、または、半導体メモリであることを特徴とする請求項９から１２のいずれか１項に記載のプログラムを記録したコンピュータ読取可能な情報記録媒体。
【発明の詳細な説明】
【技術分野】
【０００１】
本発明は、磁気パターンの認識装置、認識方法、および、これらを実現するプログラムを記録したコンピュータ読取可能な情報記録媒体に関する。
【０００２】
特に、さまざまな磁気的特性を有する磁気インクによりＭＩＣＲ（Magnetic Ink Character Recognition）文字やＭＩＣＲ記号（以下適宜まとめて「ＭＩＣＲ文字」という。）を認識するのに好適な磁気パターンの認識装置、認識方法、および、これらを実現するプログラムを記録したコンピュータ読取可能な情報記録媒体に関する。
【背景技術】
【０００３】
従来からたとえば、パーソナルチェックなどにＭＩＣＲ文字を印刷し、これを認識するような磁気認識装置が用いられている。図１に、ＭＩＣＲ文字が印刷されたパーソナルチェックの印刷例を示す。図中の下部に印刷された「記号  ０１２３４５６７８  記号  空白  ９０１２  記号  ３４５６７８９  記号  空白  ０１２３  空白  記号  ４５６７８９０１２３  記号」の列がＭＩＣＲ文字で印刷された部分である。
【０００４】
ＭＩＣＲ文字については、ANSI X9.27 - 1995、ISO 1004 Information processing - Magnetic ink character recognition - Print Specifications、JIS   Ｘ９００２−１９８０  磁気インキ文字読取用字体及び印字仕様（Ｅ１３Ｂ）などによって規格が定められている。ＭＩＣＲ文字の形状や、その磁気特性、特に、ＭＩＣＲ文字を磁気ヘッドで読み取った場合の磁気の波形の形状は、ＣＭＣ７規格もしくはＥ１３Ｂ規格などによって定められている。
【０００５】
一方、レーザープリンタ用に、ＭＩＣＲ文字用の磁気インクを含むトナーが提供されている。また、インクジェットプリンタや熱転写型プリンタでも同様のインクが提供されている。このようなトナーやインクを利用すれば、ユーザは、安価な民生用プリンタを用いてＭＩＣＲ文字をパーソナルチェックなどの用紙に印刷することができる。
【０００６】
かつては、所定の規格に合わせた専用オフセット印刷装置によってＭＩＣＲ文字が印刷されていたが、今日では、さまざまなＤＰＩ（dot per inch）の安価な民生用プリンタによってＭＩＣＲ文字が印刷されるようになってきている。
【０００７】
所定の規格は、ＭＩＣＲ文字の残留磁束の強弱によって各文字を特徴付けている（いわゆる磁石方式）一方で、所定の磁界をかけた場合の相互誘導変化によって各文字を読み取る（いわゆるバイアス方式）装置も普及している。
【０００８】
このように、ＭＩＣＲ文字の印刷と、その認識の技術は、今後とも広く普及し、これに関連する技術は、ますます重要な意義を有するようになっている。
【先行技術文献】
【特許文献】
【０００９】
【特許文献１】特公昭３８−１１３５６号公報
【特許文献２】特開昭６０−１２８５７６号公報
【発明の概要】
【発明が解決しようとする課題】
【００１０】
しかしながら、さまざまなＤＰＩの民生用プリンタによってＭＩＣＲ文字の印刷が行なわれるようになるにしたがい、以下のような問題が発生するようになった。
すなわち、さまざまな磁気インクが民生用として用いられるようになるにしたがい、磁気インクの磁気特性にばらつきが出るようになった。
【００１１】
特に、磁気インクの磁性体特性がさまざまとなるにしたがい、特にバイアス方式での磁気パターンの読み取りで相互誘導変化が様々となり、結果、出力に差が生じるおそれがある、という問題が生じていた。
【００１２】
図２は、このような問題が生じるインクの磁性体磁気特性を示す説明図である。図２に示すグラフは、「旧インク」（従来から用いられていた磁気インク）と「レーザー印字」（近年用いられるようになった磁気インク）という２種類の磁気インクのヒステリシス曲線を示す。
【００１３】
磁石方式では、残留磁束を検出するため、２種類の磁気インクでも値の違いは小さいが、バイアス方式では、所定の磁界にかけた場合の相互誘導変化を検出するため、両者の値の違いが大きくなってしまっている。
【００１４】
磁気読取では、磁気ヘッドが読み取った磁気パターンの電気信号を増幅回路で増幅するが、「旧インク」用に増幅率を調整しておいた場合に、「レーザー印字」の磁気インクの磁気パターンを読み取ろうとしても、相互誘導変化の値が大きくなりすぎ、ダイナミックレンジが飽和してしまうため、増幅率を調整して読み取る必要がある。
【００１５】
この増幅率の調整に合わせてＭＩＣＲ文字を構成する区間を適切に切り出したい、という要望が高まってきた。
【００１６】
本発明は、上記の問題を解決するためになされたもので、磁気パターンの認識装置、認識方法、および、これらを実現するプログラムを記録したコンピュータ読取可能な情報記録媒体を提供することを目的とする。
【００１７】
特に、さまざまな磁気的特性を有する磁気インクによりＭＩＣＲ文字を認識するために読み取るのに好適な磁気パターンの認識装置、認識方法、および、これらを実現するプログラムを記録したコンピュータ読取可能な情報記録媒体を提供することを目的とする。
【課題を解決するための手段】
【００１８】
以上の目的を達成するため、本発明の原理にしたがって、下記の発明を開示する。
【００１９】
本発明の磁気パターンの認識装置は、測定部と、増幅部と、選択部と、認識部と、を備える。
【００２０】
測定部は、磁気インクにより印刷された磁気パターンの磁束を測定し、当該磁束に対応する信号を出力する。
【００２１】
増幅部は、測定部が出力した信号を所定の増幅率で増幅する。
【００２２】
選択部は、増幅部が増幅した信号の強度が当該所定の増幅率にあらかじめ対応付けられた閾値よりも小さい区間を選択する。
【００２３】
認識部は、選択部が選択したそれぞれの区間内に境界を設定し、当該境界に挟まれた区間の信号のそれぞれからＭＩＣＲ文字またはＭＩＣＲ記号を認識する。
【００２４】
また、本発明の磁気パターンの認識装置において、当該閾値は、当該増幅率に比例するように対応付けられているように構成することができる。
【００２５】
また、本発明の磁気パターンの認識装置において、所定の増幅率は、第１の増幅率と、これより小さい第２の増幅率と、のいずれかであり、これらのそれぞれに第１の閾値、および、第２の閾値が対応付けられているように構成することができる。
【００２６】
また、本発明の磁気パターンの認識装置の増幅部が、当該第１の増幅率により増幅した信号の強度がダイナミックレンジに対し飽和した場合、増幅部は、当該第２の増幅率により信号を増幅するように構成することができる。
【００２７】
本発明の磁気パターンの認識方法は、測定工程と、増幅工程と、選択工程と、認識工程と、を備える。
【００２８】
測定工程では、磁気インクにより印刷された磁気パターンの磁束を測定し、当該磁束に対応する信号を出力する。
【００２９】
増幅工程では、測定工程にて出力された信号を所定の増幅率で増幅する。
【００３０】
選択工程では、増幅工程にて増幅された信号の強度が当該所定の増幅率にあらかじめ対応付けられた閾値よりも小さい区間を選択する。
【００３１】
認識工程では、選択工程にて選択されたたそれぞれの区間内に境界を設定し、当該境界に挟まれた区間の信号のそれぞれからＭＩＣＲ文字またはＭＩＣＲ記号を認識する。
【００３２】
また、本発明の磁気パターンの認識方法において、当該閾値は、当該増幅率に比例するように対応付けられているように構成することができる。
【００３３】
また、本発明の磁気パターンの認識方法において、所定の増幅率は、第１の増幅率と、これより小さい第２の増幅率と、のいずれかであり、これらのそれぞれに第１の閾値、および、第２の閾値が対応付けられているように構成することができる。
【００３４】
また、本発明の磁気パターンの認識方法において、増幅工程にて当該第１の増幅率により増幅された信号の強度がダイナミックレンジに対し飽和した場合、増幅工程にて当該第２の増幅率により信号を増幅するように構成することができる。
【００３５】
本発明の磁気パターンの認識装置、および、認識方法を実現するプログラムをコンパクトディスク、フロッピー（登録商標）ディスク、ハードディスク、光磁気ディスク、ディジタルビデオディスク、磁気テープ、半導体メモリなどの情報記録媒体に記録することができる。
【００３６】
本発明の情報記録媒体に記録されたプログラムを、磁気パターンの認識装置が備えるＣＰＵ（Central Processing Unit；中央処理ユニット）などの制御装置で実行することにより、上記の磁気パターンの認識装置、および、認識方法を実現することができる。
【００３７】
また、これらの装置とは独立して、本発明のプログラムを記録した情報記録媒体を配布、販売することができる。
【発明の効果】
【００３８】
以上説明したように、本発明によれば、磁気パターンの認識装置、認識方法、および、これらを実現するプログラムを記録したコンピュータ読取可能な情報記録媒体を提供することができる。
【００３９】
特に、さまざまな磁気的特性を有する磁気インクによりＭＩＣＲ文字を認識するために読み取るのに好適な磁気パターンの認識装置、認識方法、および、これらを実現するプログラムを記録したコンピュータ読取可能な情報記録媒体を提供することができる。
【図面の簡単な説明】
【００４０】
【図１】ＭＩＣＲ文字が印刷されたパーソナルチェックの例を示す説明図。
【図２】さまざまな磁気インクの磁気特性を示す説明図。
【図３】本発明の磁気パターンの認識装置の第１の実施形態の概要構成を示すブロック構成図。
【図４】本発明の磁気パターンの認識装置のハードウェア構成を示すブロック構成図。
【図５】本発明の磁気パターンの認識装置とプリンタとを組み込んだ複合処理装置の概形を示す説明図。
【図６】本発明の磁気パターンの実施形態の認識装置において実行される認識処理の流れを示すフローチャート。
【発明を実施するための形態】
【００４１】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【００４２】
（第１の実施形態）
図３は、本発明の磁気パターンの認識装置の第１の実施形態の概要構成を示す説明図である。以下、図３を参照して、本発明の磁気パターンの認識装置の第１の実施形態の概要構成について説明する。
【００４３】
本発明の磁気パターンの認識装置１０１は、測定部１０２と、増幅部１０３と、選択部１０４と、認識部１０５と、を備える。
測定部１０２は、磁気インクにより印刷された磁気パターンの磁束を測定し、当該磁束に対応する信号を出力する。
増幅部１０３は、測定部１０２が出力した信号を所定の増幅率で増幅する。増幅部１０３は、少なくとも２種類の増幅率で信号の増幅を行うことができる。
選択部１０４は、増幅部１０３が増幅した信号の強度が当該所定の増幅率にあらかじめ対応付けられた閾値よりも小さい区間を選択する。これにより、ＭＩＣＲ文字とＭＩＣＲ文字との区切が含まれると推測される区間が選択される。
【００４４】
認識部１０５は、選択部１０３が選択したそれぞれの区間内に境界を設定し、当該境界に挟まれた区間の信号のそれぞれからＭＩＣＲ文字またはＭＩＣＲ記号を認識する。
【００４５】
図４は、図３に示すブロック構成図を概要構成とする磁気パターンの認識装置を現実のハードウェアで実現する場合の概要構成を示すブロック構成図である。
【００４６】
認識装置１０１のＣＰＵ  ３０１は、認識装置の各部を制御する。
【００４７】
紙送り装置３０２は、ＭＩＣＲ文字が印刷された用紙、たとえばパーソナルチェックを磁気ヘッド３０３に対して相対的に移動させる。
【００４８】
増幅回路３０４は、磁気ヘッド３０３が読み取った磁束の強さの信号を所定の増幅率で増幅する。
【００４９】
フィルタ回路３０５は、増幅された信号から不要な信号を除去する。
【００５０】
さらにＡ／Ｄ（Analog/Digital；アナログ／ディジタル）変換器３０６がこの信号をディジタル信号に変換し、ＣＰＵ  ３０１に送る。
【００５１】
ＣＰＵ  ３０１が受け取った磁束の強さのディジタル信号は、ＲＡＭ  ３０７に記憶される。
【００５２】
ＲＡＭ  ３０７に記憶された値は、ＣＰＵ  ３０１によって吟味され、これがダイナミックレンジに対し飽和している場合、ＣＰＵ  ３０１は増幅回路３０４を制御してその増幅率を下げ、再度磁束の強さの測定を行う。
【００５３】
すなわち、ＣＰＵ  ３０１は、紙送り装置３０２を駆動するとともに、磁気ヘッド３０３により磁気を検出し、検出した磁気のディジタル信号をＲＡＭ  ３０７に記憶し、必要があれば再測定を行う。
【００５４】
信号の飽和がなくなったら、ＣＰＵ  ３０１は、ＲＡＭ  ３０７に記憶された測定結果の値から、ＭＩＣＲ文字同士の区切りを推測する。
【００５５】
すなわち、ＲＡＭ  ３０７に記憶された信号のデータ列中で、増幅回路３０４で最後に採用した増幅率に対応付けられた閾値（典型的には、最後に採用した増幅率に比例する閾値）よりも信号の強度が小さい区間内に、ＭＩＣＲ文字同士の区切りがあると推測する。
【００５６】
この条件と、ＭＩＣＲ文字同士の区切りは規格に定められた間隔でほぼ等間隔に存在するという条件と、を組み合わせて、ＣＰＵ  ３０１は、ＭＩＣＲ文字の１文字分に相当する区間をそれぞれ切り出す。
【００５７】
さらに、ＣＰＵ  ３０１は、ＲＯＭ  ３０８に記憶された磁気パターンと、切り出したＭＩＣＲ文字１文字分に相当する区間の測定結果の信号のデータ列と、を比較して、ＭＩＣＲ文字の認識を行う。
【００５８】
認識された文字や記号は、ＲＡＭ  ３０７などに記憶され、他の処理の対象となる。たとえば、認識された文字や記号を銀行の口座番号と金額として解釈し、当該金額の引き落とし処理のトランザクションを行う、などの処理である。この処理については、公知の技法を利用することができる。
【００５９】
なお、磁気ヘッド３０３は、測定部として、増幅回路３０４は、増幅部として、ＣＰＵ  ３０１は、選択部、および、認識部として、それぞれ機能する。
【００６０】
また、ＲＯＭ  ３０８には、ＣＰＵ  ３０１が実行するプログラムを記憶することができ、この場合は、ＲＯＭ  ３０８は、本発明の情報記録媒体として機能する。
【００６１】
さらに、ＲＯＭ  ３０８の内容を外部から更新できる場合には、当該更新するためのプログラムを記録したＣＤ−ＲＯＭ（Compact Disc ROM）などの情報記録媒体は、本発明の情報記録媒体として機能する。
【００６２】
図５は、本実施形態に係る認識装置の実施形態とプリンタとを組み込んだ複合処理装置の概形を示す説明図である。
【００６３】
複合処理処置４０１のプリンタ部は、文字や記号を印刷するプリンタヘッド４０２と、これが移動する移動軸４０３と、印刷の際に紙をおさえるプラテン４０４とを備え、印刷はロール紙４０５に対して行われる。
【００６４】
一方、ＭＩＣＲ文字が印刷されたパーソナルチェック４１１は、挿入口４１２から挿入され、複合処理装置４０１の内部に配置された認識装置１０１により処理される。
【００６５】
図６は、本実施形態の認識装置において実行される読取処理の流れを示すフローチャートである。本読取処理は、パーソナルチェック用紙が挿入されることを契機として開始される。なお、挿入されたことを光センサーなどにより検知する実施形態や、挿入した上でユーザがＣＰＵ  ３０１に対して何らかの指示を入力する実施形態を採用することができる。
【００６６】
まず、ＣＰＵ  ３０１は、紙送り機構３０２を駆動するとともに、磁気ヘッド３０３を動作させて、用紙に印刷された磁気パターンを読み取り、読み取った結果の信号を所定の増幅率に設定した増幅回路３０４で増幅し、さらに、増幅した信号からフィルタ回路３０５によりノイズを除去し、Ａ／Ｄ変換器３０６によりＡ／Ｄ変換し、変換したデータをＲＡＭ  ３０７に記憶する（ステップＳ５０１）。
【００６７】
データの読取は、たとえば、以下のような手法により行うことができる。紙送り機構３０２は、１／１４４インチ単位のステップで紙を送る。磁気ヘッド３０３は、１ステップあたり１５回磁束を測定する。測定した値は４回ごとに平均をとり、このデータ列をＲＡＭ  ３０７に記憶する。
【００６８】
ＭＩＣＲ文字は、Ｅ１３Ｂ規格では、ＭＩＣＲ文字の幅は1.321mmから2.311mmの４グループに分類される。この場合、約４９データでＭＩＣＲ文字１文字幅分となるが、印字間隔は3.175mmあり、文字間スペースを含め約７０データを１文字分のデータとして記憶することができる。
【００６９】
次に、ＣＰＵ  ３０１は、読み取った磁束のデータ列が、ダイナミックレンジに対し飽和しているか否かを調べる（ステップＳ５０２）。
【００７０】
たとえば、磁束のデータ１つが１バイトに記憶される場合を考える。磁束の値が０の場合は、バイト値１２８に対応させ、磁束の値が正の場合は、バイト値１２９〜２５５に対応させ、磁束の値が負の場合は、バイト値０〜１２７に対応させて記憶する。
【００７１】
ここで、飽和している場合とは、以下のような場合である。
・バイト値２５５が現れた場合。
・バイト値０が現れた場合。
飽和していない場合、ＲＡＭ  ３０７に記憶される磁束の値は、バイト値は２から２５４のいずれかの値をとる。
【００７２】
飽和している場合（ステップＳ５０２；Ｙｅｓ）、増幅回路３０４の増幅率を小さく変更して（ステップＳ５１０）、ステップＳ５０１に戻る。
【００７３】
増幅率の変更の手法については、たとえば、増幅率を現在の４／５にする、などのように所定の比率で増幅率を下げる手法を用いることができる。また、増幅回路３０４が、増幅率が段階的に変更できるような増幅回路である場合には、増幅率を１段階下げる手法を用いることができる。
【００７４】
飽和していない場合（ステップＳ５０２；Ｎｏ）、最後に増幅回路３０４で採用した増幅率に対応する閾値を取得する（ステップＳ５０３）。
【００７５】
この閾値は、実験により求めることができるが、典型的には、増幅率に比例する値である。また、増幅回路３０４の増幅率が段階的に変更できるようなものの場合は、そのそれぞれに対応付けられた閾値を取得する。
【００７６】
ついで、磁束の大きさが、ステップＳ５０３において取得した閾値よりも小さい区間を選択する（ステップＳ５０４）。
【００７７】
たとえば、磁束のデータがそれぞれ１バイトで表現される前述の実施形態において、閾値が０±３ディジットである場合、当該区間は、ＲＡＭ  ３０７に記憶されたデータのバイト値が１２５〜１３１の範囲に含まれるようなデータ列の区間が、ここで選択される。
【００７８】
このようなデータ列の区間は、あるＭＩＣＲ文字と別のＭＩＣＲ文字とを区切る境界の侯補となる。したがって、選択される区間は、一般には複数である。
【００７９】
たとえば、１２５〜１３１の範囲に含まれるような値のデータが所定の個数、たとえば５個以上連続した場合に、この連続する区間を、ステップＳ５０４の選択対象となる区間とすることができる。
【００８０】
この実施形態では、ＭＩＣＲ文字１文字の中で、磁束が正負にわたって急激に変化した場合であっても、この変化の途中の零点は、ＭＩＣＲ文字の区切り境界の侯補とはならない。したがって、より適切にＭＩＣＲ文字の区切り境界の侯補となる区間を選択することができる。
【００８１】
ついで、ＣＰＵ  ３０１は、選択された区間のいずれかに、規格により定められた間隔のＭＩＣＲ文字の複数の境界が含まれるように、ＭＩＣＲ文字の境界を設定し、それぞれのＭＩＣＲ文字に対応するデータ列を切り出す（ステップＳ５０５）。なお、この切り出しにおいては、特開平９−３１１９０６号公報に開示されている手法などを採用することもできる。
【００８２】
さらに、切り出したデータ列のそれぞれについて、以下のステップＳ５０７〜ステップＳ５０８の処理を繰り返す（ステップＳ５０６）。
【００８３】
すなわち、ＲＯＭ  ３０８に記憶されたＭＩＣＲ文字の磁気パターンのそれぞれと、当該データ列と、を比較し（ステップＳ５０７）、もっとも差が小さい磁気パターンに対応付けられたＭＩＣＲ文字を認識結果として出力する（ステップＳ５０８）。
【００８４】
ＭＩＣＲ文字の認識については、ＲＯＭ  ３０８に記憶された磁気パターンと、各データとの差の２乗和をそれぞれの磁気パターンについて計算し、当該自乗和が最小の磁気パターンを求め、これに対応付けられたＭＩＣＲ文字を認識結果とする手法や、これに類する公知の技法を採用することができる。
【００８５】
切り出したすべてのデータ列についてステップＳ５０６〜ステップＳ５０８の処理を行ったら、本処理を終了する。
【００８６】
以上の説明は、パーソナルチェックを用いたが、チェックの種類や、チェックのみによらずＭＩＣＲ印刷された器物に対し有効であることは、いうまでもない。
【符号の説明】
【００８７】
１０１  認識装置
１０２  測定部
１０３  増幅部
１０４  出力部
１０５  認識部
３０１  ＣＰＵ
３０２  紙送り機構
３０３  磁気ヘッド
３０４  増幅回路
３０５  フィルタ回路
３０６  Ａ／Ｄ変換器
３０７  ＲＡＭ
３０８  ＲＯＭ
４０１  複合処理装置
４０２  プリンタヘッド
４０３  移動軸
４０４  プラテン
４０５  ロール紙
４１１  パーソナルチェック
４１２  挿入口
【図１】
2010272126.tif 000003
【図５】
2010272126.tif 000004
【図６】
2010272126.tif 000005
【図２】
2010272126.tif 000006
【図３】
2010272126.tif 000007
【図４】
2010272126.tif 000008
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
磁気インクにより印刷された複数のＭＩＣＲ文字またはＭＩＣＲ記号の磁気パターンの
磁束を測定し、当該磁束に対応する信号を出力する測定部と、
前記測定部にて出力された信号を所定の増幅率で増幅する増幅部と、
前記増幅部にて増幅された信号の強度が当該所定の増幅率にあらかじめ対応付けられ
た閾値よりも小さい値が所定個数連続して検出された区間をＭＩＣＲ文字またはＭＩＣＲ記号間の区切りがあると推測すると共に、前記ＭＩＣＲ文字またはＭＩＣＲ記号同士の区切りは、規格に定められたほぼ等間隔に存在するという条件とから、区切りの存在区間を切り出す区間切り出し部と、  
前記区間切り出し部で切り出した前記ＭＩＣＲ文字またはＭＩＣＲ記号１文字分に相当する区間の測定結果の信号データ列それぞれからＭＩＣＲ文字またはＭＩＣＲ記号を認識する認識部と、
を備えることを特徴とする磁気パターンの認識装置。
【請求項２】
磁気インクにより印刷された複数のＭＩＣＲ文字またはＭＩＣＲ記号の磁気パターンの
磁束を測定し、当該磁束に対応する信号を出力する測定工程と、
前記測定工程にて出力された信号を所定の増幅率で増幅する増幅工程と、
前記増幅工程にて増幅された信号の強度が当該所定の増幅率にあらかじめ対応付けられ
た閾値よりも小さい値が所定個数連続して検出された区間をＭＩＣＲ文字またはＭＩＣＲ記号間の区切りがあると推測すると共に、前記ＭＩＣＲ文字またはＭＩＣＲ記号同士の区切りは、規格に定められたほぼ等間隔に存在するという条件とから、区切りの存在区間を切り出す区間切り出し工程と、  
前記区間切り出し工程で切り出した前記ＭＩＣＲ文字またはＭＩＣＲ記号１文字分に相当する区間の測定結果の信号データ列それぞれからＭＩＣＲ文字またはＭＩＣＲ記号を認識する認識工程と、
を含むことを特徴とする磁気パターンの認識方法。